【手続補正書】
【提出日】平成30年10月31日(2018.10.31)
【手続補正１】
【補正対象書類名】特許請求の範囲
【補正対象項目名】全文
【補正方法】変更
【補正の内容】
【特許請求の範囲】
【請求項１】
入射する電磁波に基づく電気信号を生成する変換部と、
前記電気信号が前記変換部から入力される入力部と、
参照信号が入力される参照信号入力部と、
前記入力部の電位と前記参照信号入力部の電位とを比較した結果に基づいて、前記電気信号をデジタル信号に変換するＡＤ変換部とを各々が有する複数の組を有する撮像装置の駆動方法であって、
前記複数の組は、第１組と、第２組とを含み、
前記変換部の電位と、前記入力部の電位と、前記参照信号入力部の電位との少なくとも１つをリセットするリセット期間の開始を、前記第１組と前記第２組とで互いに異ならせるとともに、前記電気信号を前記変換部から前記入力部に入力するタイミングを、前記第１組と前記第２組とで同時とすることを特徴とする撮像装置の駆動方法。
【請求項２】
入射する電磁波に基づく電気信号を生成する変換部と、
前記電気信号が前記変換部から入力される入力部と、
参照信号が入力される参照信号入力部と、
前記入力部の電位と前記参照信号入力部の電位とを比較した結果に基づいて、前記電気信号をデジタル信号に変換するＡＤ変換部と
を各々が有する複数の組と、
前記複数の組に共通のリセット電位を供給する電位供給部とを有し、
前記複数の組は、第１組と第２組を含み、
前記第２組は、前記電位供給部からの前記リセット電位が供給される電気的経路が前記第１組よりも長い撮像装置の駆動方法であって、
前記変換部の電位と、前記入力部の電位と、前記参照信号入力部の電位との少なくとも１つをリセットするリセット期間を、前記第２組の方が、前記第１組よりも早く開始し、
前記電気信号を前記変換部から前記入力部に入力するタイミングを、前記第１組と前記第２組とで同時とすることを特徴とする撮像装置の駆動方法。
【請求項３】
入射する電磁波に基づく電気信号を生成する変換部と、
前記電気信号が前記変換部から入力される入力部と、
参照信号が入力される参照信号入力部と、
前記入力部の電位と前記参照信号入力部の電位とを比較した結果に基づいて、前記電気信号をデジタル信号に変換するＡＤ変換部と、
を各々が有する複数の組を有するとともに、
前記複数の組に共通のリセット電位を供給する電位供給部とを有し、
前記複数の組は、第１組と第２組を含み、
前記第２組は、前記電位供給部からの前記リセット電位が供給される電気的経路の抵抗が前記第１組よりも大きい撮像装置の駆動方法であって、
前記変換部の電位と、前記入力部の電位と、前記参照信号入力部の電位との少なくとも１つをリセットするリセット期間を、前記第２組の方が、前記第１組よりも早く開始し、
前記電気信号を前記変換部から前記入力部に入力するタイミングを、前記第１組と前記第２組とで同時とすることを特徴とする撮像装置の駆動方法。
【請求項４】
前記撮像装置は、前記第１組と他の組とを含む第１ブロックと、前記第２組と他の組とを含む第２ブロックとを有し、
前記リセット期間の開始を、前記第１ブロックと前記第２ブロックとで異ならせることを特徴とする請求項１〜３のいずれかに記載の撮像装置の駆動方法。
【請求項５】
前記ＡＤ変換部が、リセットされた前記入力部の電位に基づくデジタル信号をさらに生成することを特徴とする請求項１〜４のいずれかに記載の撮像装置の駆動方法。
【請求項６】
前記入力部に入力される前記電気信号が、前記変換部が生成した前記電気信号を増幅した信号であることを特徴とする請求項１〜５のいずれかに記載の撮像装置の駆動方法。
【請求項７】
前記複数の組の各々は、さらに信号保持部を有し、
前記信号保持部は、前記変換部が生成した前記電気信号を保持し、
前記入力部に入力される前記電気信号が、前記信号保持部が保持した前記電気信号を増幅した信号であり、
前記信号保持部の電位のリセット期間を、前記第２組の方が、前記第１組よりも早く開始することを特徴とする請求項６に記載の撮像装置の駆動方法。
【請求項８】
入射する電磁波に基づく電気信号を生成する変換部と、
前記電気信号が前記変換部から入力される入力部と、
参照信号が入力される参照信号入力部と、
前記入力部の電位と前記参照信号入力部の電位とを比較した結果に基づいて、前記電気信号をデジタル信号に変換するＡＤ変換部と
を各々が有する複数の組を有する撮像装置であって、
前記複数の組は、第１組と、第２組とを含み、
前記撮像装置はさらに、
前記変換部の電位と、前記入力部の電位と、前記参照信号入力部の電位との少なくとも１つをリセットするリセット期間の開始を、前記第１組と前記第２組とで互いに異ならせるとともに、前記電気信号を前記変換部から前記入力部に入力するタイミングを、前記第１組と前記第２組とで同時とする制御部を有することを特徴とする撮像装置。
【請求項９】
前記リセット期間を開始させるリセット信号を前記複数の組に供給する信号供給部をさらに有し、
前記信号供給部は、遅延量が互いに異なる複数の信号の論理積に基づいて、前記複数の組の各々の前記リセット期間を開始させることを特徴とする請求項８に記載の撮像装置。
【請求項１０】
入射する電磁波に基づく電気信号を生成する変換部と、
前記電気信号が前記変換部から入力される入力部と、
参照信号が入力される参照信号入力部と、
前記入力部の電位と前記参照信号入力部の電位とを比較した結果に基づいて、前記電気信号をデジタル信号に変換するＡＤ変換部と
を各々が有する複数の組を有するとともに、
前記複数の組に共通のリセット電位を供給する電位供給部を有する撮像装置であって、
前記複数の組は、第１組と、前記第１組よりも前記電位供給部からの前記リセット電位が供給される電気的経路が長い第２組とを含み、
前記電気信号を前記変換部から前記入力部に入力するタイミングが、前記第１組と前記第２組とで同時であって、
前記変換部と、前記入力部と、前記参照信号入力部と、の少なくとも１つに前記リセット電位を供給するリセット期間を、前記第１組よりも早く前記第２組に開始させる信号供給部を有することを特徴とする撮像装置。
【請求項１１】
前記信号供給部は、前記リセット期間を開始させるリセット信号を前記複数の組に供給し、
前記複数の組のうち、前記電位供給部からの前記リセット電位の電気的経路が長い組の方が、前記電位供給部からの前記リセット電位の電気的経路が短い組よりも、前記信号供給部からの前記リセット信号の電気的経路が短いことを特徴とする請求項１０に記載の撮像装置。
【請求項１２】
入射する電磁波に基づく電気信号を生成する変換部と、
前記電気信号が入力される入力部と、
前記電気信号が前記変換部から入力される入力部と、
参照信号が入力される参照信号入力部と、
前記入力部の電位と前記参照信号入力部の電位とを比較した結果に基づいて、前記電気信号をデジタル信号に変換するＡＤ変換部と、
を各々が有する複数の組を有し、
前記複数の組に共通のリセット電位を供給する電位供給部と、
を有する撮像装置であって、
前記複数の組は、第１組と、前記第１組よりも前記電位供給部からの前記リセット電位が供給される電気的経路の抵抗が大きい第２組とを含み、
前記電気信号を前記変換部から前記入力部に入力するタイミングが、前記第１組と前記第２組とで同時であって、
前記撮像装置はさらに、
前記変換部と、前記入力部と、前記参照信号入力部と、の少なくとも１つに前記リセット電位を供給するリセット期間を、前記第１組よりも早く前記第２組に開始させる信号供給部を有することを特徴とする撮像装置。
【請求項１３】
前記信号供給部は、遅延量が互いに異なる複数の信号の論理積に基づいて、前記複数の組の各々の前記リセット期間を開始させることを特徴とする請求項９〜１２のいずれかに記載の撮像装置。
【請求項１４】
前記複数の組の各々は、さらに増幅部を有し、
前記入力部に入力される前記電気信号が、前記変換部の生成した前記電気信号を前記増幅部が増幅した信号であることを特徴とする請求項８〜１３のいずれかに記載の撮像装置。
【請求項１５】
前記複数の組の各々は、さらに信号保持部を有し、
前記信号保持部は、前記変換部が生成した前記電気信号を保持し、
前記入力部に入力される前記電気信号が、前記信号保持部が保持した前記電気信号を前記増幅部が増幅した信号であることを特徴とする請求項１４に記載の撮像装置。
【請求項１６】
請求項８〜１５のいずれかに記載の撮像装置と、
前記撮像装置から出力される前記デジタル信号を用いて画像を生成する信号処理部と、
を有することを特徴とする撮像システム。
【手続補正２】
【補正対象書類名】明細書
【補正対象項目名】０００６
【補正方法】変更
【補正の内容】
【０００６】
本発明は上記の課題を鑑みて為されたものであり、一の態様は、入射する電磁波に基づく電気信号を生成する変換部と、前記電気信号が前記変換部から入力される入力部と、参照信号が入力される参照信号入力部と、前記入力部の電位と前記参照信号入力部の電位とを比較した結果に基づいて、前記電気信号をデジタル信号に変換するＡＤ変換部とを各々が有する複数の組を有する撮像装置の駆動方法であって、前記複数の組は、第１組と、第２組とを含み、前記変換部の電位と、前記入力部の電位と、前記参照信号入力部の電位との少なくとも１つをリセットするリセット期間の開始を、前記第１組と前記第２組とで互いに異ならせるとともに、前記電気信号を前記変換部から前記入力部に入力するタイミングを、前記第１組と前記第２組とで同時とすることを特徴とする撮像装置の駆動方法である。
【手続補正３】
【補正対象書類名】明細書
【補正対象項目名】０００７
【補正方法】変更
【補正の内容】
【０００７】
また、別の態様は、入射する電磁波に基づく電気信号を生成する変換部と、前記電気信号が前記変換部から入力される入力部と、参照信号が入力される参照信号入力部と、前記入力部の電位と前記参照信号入力部の電位とを比較した結果に基づいて、前記電気信号をデジタル信号に変換するＡＤ変換部とを各々が有する複数の組と、前記複数の組に共通のリセット電位を供給する電位供給部とを有し、前記複数の組は、第１組と第２組を含み、前記第２組は、前記電位供給部からの前記リセット電位が供給される電気的経路が前記第１組よりも長い撮像装置の駆動方法であって、前記変換部の電位と、前記入力部の電位と、前記参照信号入力部の電位との少なくとも１つをリセットするリセット期間を、前記第２組の方が、前記第１組よりも早く開始し、前記電気信号を前記変換部から前記入力部に入力するタイミングを、前記第１組と前記第２組とで同時とすることを特徴とする撮像装置の駆動方法である。
【手続補正４】
【補正対象書類名】明細書
【補正対象項目名】０００８
【補正方法】変更
【補正の内容】
【０００８】
また、別の態様は、入射する電磁波に基づく電気信号を生成する変換部と、前記電気信号が前記変換部から入力される入力部と、参照信号が入力される参照信号入力部と、前記入力部の電位と前記参照信号入力部の電位とを比較した結果に基づいて、前記電気信号をデジタル信号に変換するＡＤ変換部と、を各々が有する複数の組を有するとともに、前記複数の組に共通のリセット電位を供給する電位供給部とを有し、前記複数の組は、第１組と第２組を含み、前記第２組は、前記電位供給部からの前記リセット電位が供給される電気的経路の抵抗が前記第１組よりも大きい撮像装置の駆動方法であって、前記変換部の電位と、前記入力部の電位と、前記参照信号入力部の電位との少なくとも１つをリセットするリセット期間を、前記第２組の方が、前記第１組よりも早く開始し、前記電気信号を前記変換部から前記入力部に入力するタイミングを、前記第１組と前記第２組とで同時とすることを特徴とする撮像装置の駆動方法である。
【手続補正５】
【補正対象書類名】明細書
【補正対象項目名】０００９
【補正方法】変更
【補正の内容】
【０００９】
また、別の態様は、入射する電磁波に基づく電気信号を生成する変換部と、前記電気信号が前記変換部から入力される入力部と、参照信号が入力される参照信号入力部と、前記入力部の電位と前記参照信号入力部の電位とを比較した結果に基づいて、前記電気信号をデジタル信号に変換するＡＤ変換部とを各々が有する複数の組を有する撮像装置であって、
前記複数の組は、第１組と、第２組とを含み、前記撮像装置はさらに、前記変換部の電位と、前記入力部の電位と、前記参照信号入力部の電位との少なくとも１つをリセットするリセット期間の開始を、前記第１組と前記第２組とで互いに異ならせるとともに、前記電気信号を前記変換部から前記入力部に入力するタイミングを、前記第１組と前記第２組とで同時とする制御部を有することを特徴とする撮像装置である。
【手続補正６】
【補正対象書類名】明細書
【補正対象項目名】００１０
【補正方法】変更
【補正の内容】
【００１０】
また、別の態様は、入射する電磁波に基づく電気信号を生成する変換部と、前記電気信号が前記変換部から入力される入力部と、参照信号が入力される参照信号入力部と、前記入力部の電位と前記参照信号入力部の電位とを比較した結果に基づいて、前記電気信号をデジタル信号に変換するＡＤ変換部とを各々が有する複数の組を有するとともに、前記複数の組に共通のリセット電位を供給する電位供給部を有する撮像装置であって、前記複数の組は、第１組と、前記第１組よりも前記電位供給部からの前記リセット電位が供給される電気的経路が長い第２組とを含み、前記電気信号を前記変換部から前記入力部に入力するタイミングが、前記第１組と前記第２組とで同時であって、前記変換部と、前記入力部と、前記参照信号入力部と、の少なくとも１つに前記リセット電位を供給するリセット期間を、前記第１組よりも早く前記第２組に開始させる信号供給部を有することを特徴とする撮像装置である。
【手続補正７】
【補正対象書類名】明細書
【補正対象項目名】００１１
【補正方法】変更
【補正の内容】
【００１１】
また、別の態様は、入射する電磁波に基づく電気信号を生成する変換部と、前記電気信号が入力される入力部と、前記電気信号が前記変換部から入力される入力部と、参照信号が入力される参照信号入力部と、前記入力部の電位と前記参照信号入力部の電位とを比較した結果に基づいて、前記電気信号をデジタル信号に変換するＡＤ変換部と、を各々が有する複数の組を有し、前記複数の組に共通のリセット電位を供給する電位供給部と、を有する撮像装置であって、前記複数の組は、第１組と、前記第１組よりも前記電位供給部からの前記リセット電位が供給される電気的経路の抵抗が大きい第２組とを含み、前記電気信号を前記変換部から前記入力部に入力するタイミングが、前記第１組と前記第２組とで同時であって、前記撮像装置はさらに、前記変換部と、前記入力部と、前記参照信号入力部と、の少なくとも１つに前記リセット電位を供給するリセット期間を、前記第１組よりも早く前記第２組に開始させる信号供給部を有することを特徴とする撮像装置である。
【手続補正８】
【補正対象書類名】明細書
【補正対象項目名】００５５
【補正方法】変更
【補正の内容】
【００５５】
（実施例２）
本実施例の撮像装置について、実施例１とは異なる点を中心に説明する。本実施例の撮像装置は、信号供給部３が、遅延量が互いに異なる複数の信号の論理積に基づいてリセット信号を生成する。
【手続補正９】
【補正対象書類名】明細書
【補正対象項目名】００５９
【補正方法】変更
【補正の内容】
【００５９】
この信号Ｐｒｅ−ＲＲＥＳ１、Ｐｒｅ−ＲＲＥＳ２の遅延量は、信号線の寄生抵抗３３で調節することができる。信号の寄生抵抗３３の調節とは、たとえば信号線の配線厚みの変更とすることができる。この遅延の増大する方向の異なる第１の信号線３１と第２の信号線３２の信号ＲＲＥＳをＡＮＤ回路５０に出力する。ＡＮＤ回路５０が出力する信号が、信号ＲＲＥＳである。信号ＰＲＥＳは、遅延量が互いに異なる複数の信号の論理積に基づいて生成される信号である。
【手続補正１０】
【補正対象書類名】明細書
【補正対象項目名】００６３
【補正方法】変更
【補正の内容】
【００６３】
また、本実施例では、信号ＲＲＥＳを生成するＡＮＤ回路５０を有する撮像装置を説明した。他の例として、撮像装置が信号ＰＲＥＳを生成するＡＮＤ回路を有するようにしても良い。この場合についても、信号供給部３が、遅延量が互いに異なる複数の信号の論理積に基づいて、信号ＰＲＥＳを生成するようにすればよい。